(57)【特許請求の範囲】
【請求項１】
パイン油及びリモネンを少なくとも含む、ゴム臭気消臭用組成物。
【請求項２】
芳香族化合物及び脂肪族アルコールをさらに含む、請求項１に記載のゴム臭気消臭用組成物。
【請求項３】
前記パイン油、前記リモネン、前記芳香族化合物及び前記脂肪族アルコールの総質量に対し、前記パイン油の含有割合が２０〜７０質量％であり、前記リモネンの含有割合が１５〜２５質量％であり、前記脂肪族アルコールの含有割合が１〜１０質量％であり、残部が前記芳香族化合物である、請求項２に記載のゴム臭気消臭用組成物。
【請求項４】
前記芳香族化合物が、フェニルエチルアルコール、ベンズアルデヒド及びサリチル酸メチルからなる群より選ばれる少なくとも１種を含む、請求項２又は３に記載のゴム臭気消臭用組成物。
【請求項５】
前記脂肪族アルコールがゲラニオールを含む、請求項２〜４のいずれか１項に記載のゴム臭気消臭用組成物。
【請求項６】
さらにノニオン性界面活性剤及び／又はアニオン性界面活性剤と、水とを含む、請求項１〜５のいずれか１項に記載のゴム臭気消臭用組成物。
【請求項７】
請求項１〜６のいずれか１項に記載のゴム臭気消臭用組成物を噴霧する工程を備える、ゴム臭気の消臭方法。
【発明の詳細な説明】
【技術分野】
【０００１】
本発明は、ゴム臭気消臭用組成物及びゴム臭気の消臭方法に関する。
【背景技術】
【０００２】
化学材料、化学薬品等の製造現場や加工現場においては、人に対して不快感を与える種々の臭気が発生するため、環境面や安全面の観点から、その臭気を消臭又は低減することが求められている。中でも、天然ゴム、タイヤ等のゴムは、不快な臭気が発生しやすいため、製造現場や加工現場の環境を悪化させるおそれがあるばかりか、その近隣にも臭気による影響が出やすいことから、ゴム臭気を消臭又は低減させるための検討がこれまでにも広く行われている。
【０００３】
ゴム臭気を消臭する方法としては、例えば、特許文献１に、ゴムの配合剤である炭酸カルシウム、シリカ及びクレー等粉末充填剤に香料等の消臭剤を用いて、ゴム臭気を抑制する方法が開示されている。さらに特許文献２には、発生した臭気ガスを燃焼法で脱臭する方法が提案されている。
【先行技術文献】
【特許文献】
【０００４】
【特許文献１】特開平７−２２２７９２号公報
【特許文献２】特開平１１−１４０２２２号公報
【発明の概要】
【発明が解決しようとする課題】
【０００５】
しかしながら、近年の環境配慮への意識の高まりから、ゴム臭気を簡便な方法で消臭することができ、かつ、優れた消臭効果をもたらすことができる消臭剤や消臭方法の開発が求められており、この観点から、従来の消臭剤等に対しても改善の余地が残されていた。加えて、特許文献１で提案されている方法では、無機材料等を必須とすることから、分散性等の点で消臭剤の調製が難しくなることがあり、また、特許文献２で提案されている方法では、装置のイニシャルコスト、燃料費のランニングコストが高まりやすいという問題もあった。
【０００６】
本発明は、上記に鑑みてなされたものであり、ゴム臭気に対して優れた消臭効果を有するゴム臭気消臭用組成物及びゴム臭気の消臭方法を提供することを目的とする。
【課題を解決するための手段】
【０００７】
本発明者らは、上記目的を達成すべく鋭意研究を重ねた結果、パイン油及びリモネンを用いることにより上記目的を達成できることを見出し、本発明を完成するに至った。
【０００８】
すなわち、本発明は、例えば、以下の項に記載の主題を包含する。
項１
パイン油及びリモネンを少なくとも含む、ゴム臭気消臭用組成物。
項２
芳香族化合物及び脂肪族アルコールをさらに含む、項１に記載のゴム臭気消臭用組成物。
項３
前記パイン油、前記リモネン、前記芳香族化合物及び前記脂肪族アルコールの総質量に対し、前記パイン油の含有割合が２０〜７０質量％であり、前記リモネンの含有割合が１５〜２５質量％であり、前記脂肪族アルコールの含有割合が１〜１０質量％であり、残部が前記芳香族化合物である、項２に記載のゴム臭気消臭用組成物。
項４
前記芳香族化合物が、フェニルエチルアルコール、ベンズアルデヒド及びサリチル酸メチルからなる群より選ばれる少なくとも１種を含む、項２又は３に記載のゴム臭気消臭用組成物。
項５
前記脂肪族アルコールがゲラニオールを含む、項２〜４のいずれか１項に記載のゴム臭気消臭用組成物。
項６
さらにノニオン性界面活性剤及び／又はアニオン性界面活性剤と、水とを含む、項１〜５のいずれか１項に記載のゴム臭気消臭用組成物。
項７
項１〜６のいずれか１項に記載のゴム臭気消臭用組成物を噴霧する工程を備える、ゴム臭気の消臭方法。
【発明の効果】
【０００９】
本発明のゴム臭気消臭用組成物は、ゴム臭気に対して優れた消臭効果を有する。
【発明を実施するための形態】
【００１０】
以下、本発明の実施形態について詳細に説明する。なお、本明細書中において、「含有」及び「含む」なる表現については、「含有」、「含む」、「実質的にからなる」及び「のみからなる」という概念を含む。
【００１１】
本発明のゴム臭気消臭用組成物（以下、単に「ゴム臭気消臭用組成物と表記する」）は、パイン油及びリモネンを少なくとも含む。これにより、本発明のゴム臭気消臭用組成物は、ゴム臭気に対して優れた消臭効果を発揮することができる。
【００１２】
なお、本明細書において、ゴム臭気に対する「消臭効果」とは、例えば、ゴム臭気の強度を弱める作用を包含し、必ずしも、ゴム臭気を完全に消失させることだけを意味するものではない。同様に、ゴム臭気に対する「消臭性能」とは、ゴム臭気の強度を弱めることができる性質を包含し、必ずしも、ゴム臭気を完全に消失させる性能だけを意味するものではない。
【００１３】
ゴム臭気消臭用組成物において、パイン油及びリモネンは、ゴム臭気に対する消臭効果を発揮するための有効成分になり得る。
【００１４】
パイン油の種類は特に限定されず、例えば、公知のパイン油を広くゴム臭気消臭用組成物に適用することができる。パイン油は、例えば、公知の方法で製造して得ることができ、あるいは、市販品等から入手することもできる。
【００１５】
リモネンは、単環式モノテルペンであり、Ｃ１０Ｈ１６で表されるキラル化合物である。従って、リモネンには異性体が存在する。本発明ではその異性体の種類は特に限定されず、Ｄ−リモネンでもＬ−リモネンでも、その混合物であってもよい。ゴム臭気に対する消臭効果がより優れるという点で、リモネンは、Ｄ−リモネンであることが好ましい。
【００１６】
リモネンは、例えば、公知の方法で製造して得ることができ、あるいは、市販品等から入手することもできる。
【００１７】
ゴム臭気消臭用組成物において、パイン油及びリモネンの含有割合は特に限定されず、種々の組成割合において、ゴム臭気に対する消臭効果を発揮することができる。
【００１８】
ゴム臭気消臭用組成物の消臭効果が特に高まりやすいという点で、パイン油及びリモネンの総質量に対して、パイン油の含有割合は１５質量％以上とすることができ、２５質量％以上であることが好ましく、３５質量％以上であることがより好ましく、４５質量％以上であることがさらに好ましく、５５質量％以上であることが特に好ましい。
【００１９】
ゴム臭気消臭用組成物の消臭効果が特に高まりやすいという点で、パイン油及びリモネンの総質量に対して、パイン油の含有割合は９９質量％以下とすることができ、９５質量％以下であることが好ましく、９０質量％以下であることがより好ましく、８５質量％以下であることがさらに好ましく、８０質量％以下であることが特に好ましい。
【００２０】
ゴム臭気消臭用組成物は、芳香族化合物及び脂肪族アルコールをさらに含むことができる。
【００２１】
芳香族化合物の種類は特に限定されず、例えば、ゴム臭気消臭用組成物の有効成分となり得る種々の芳香族化合物を挙げることができる。中でも、芳香族化合物としては、水酸基を有する芳香族化合物、アルデヒド基を有する芳香族化合物、エステル基を有する芳香族化合物、及び、カルボキシ基を有する芳香族化合物等が例示される。
【００２２】
ゴム臭気に対する消臭効果が高まりやすい点で、芳香族化合物は、水酸基を有する芳香族化合物、アルデヒド基を有する芳香族化合物、及び、エステル基を有する芳香族化合物からなる群より選ばれる少なくとも１種であることが好ましく、水酸基を有する芳香族化合物、アルデヒド基を有する芳香族化合物、及び、エステル基を有する芳香族化合物の混合物であることがさらに好ましい。
【００２３】
水酸基を有する芳香族化合物としては、フェニルエチルアルコール、ベンジルアルコール等が例示され、アルデヒド基を有する芳香族化合物としては、ベンズアルデヒド、シナミックアルデヒドが例示され、エステル基を有する芳香族化合物としては、サリチル酸メチル、サリチル酸エチル等が例示される。ゴム臭気消臭用組成物に含まれる芳香族化合物は、フェニルエチルアルコール、ベンズアルデヒド及びサリチル酸メチルからなる群より選ばれる少なくとも１種を含むことが好ましい。この場合、ゴム臭気消臭用組成物のゴム臭気に対する消臭効果が特に向上する。ゴム臭気消臭用組成物に含まれる芳香族化合物は、それら３種類の化合物すべてを含むことが特に好ましく、それら３種の化合物のみであってもよい。
【００２４】
脂肪族アルコールの種類は特に限定されず、例えば、ゴム臭気消臭用組成物の有効成分となり得る種々の脂肪族アルコールを挙げることができる。脂肪族アルコールは、飽和アルコール及び不飽和アルコールのいずれでもよく、中でも、ゴム臭気に対する消臭効果が高まりやすい点で、脂肪族アルコールは、不飽和アルコールであることが好ましい。
【００２５】
具体的な脂肪族アルコールとしては、ゲラニオールが例示される。ゴム臭気消臭用組成物に含まれる脂肪族アルコールは、ゲラニオールを含むことが好ましい。この場合、ゴム臭気消臭用組成物は、ゴム臭気に対する消臭効果が高まりやすい。
【００２６】
以上のように、ゴム臭気消臭用組成物は、フェニルエチルアルコール、ベンズアルデヒド、サリチル酸メチル及びゲラニオールからなる群より選ばれる少なくとも１種を含むことができ、より好ましくは、これらの化合物をすべて含むことである。
【００２７】
ゴム臭気消臭用組成物が、有効成分として前記芳香族化合物及び前記脂肪族アルコールを含む場合、前記パイン油、前記リモネン、前記芳香族化合物及び前記脂肪族アルコールの含有割合は特に限定されない。ゴム臭気消臭用組成物の消臭効果が高まりやすいという点で、前記パイン油、前記リモネン、前記芳香族化合物及び前記脂肪族アルコールの総質量（以下、この総質量を「総質量Ｓ」と表記する）に対し、前記パイン油の含有割合が２０〜７０質量％であり、前記リモネンの含有割合が１５〜２５質量％であり、前記脂肪族アルコールの含有割合が１〜１０質量％であり、残部が前記芳香族化合物であることが好ましい。これらの場合、ゴム臭気消臭用組成物の消臭効果が高まりやすいことに加えて、各成分自身の香料臭が強くなりすぎないという利点を有する。
【００２８】
ゴム臭気消臭用組成物の消臭効果がより高まりやすく、かつ、パイン油自身の香料臭が強くなりすぎないという観点から、前記パイン油は、前記総質量Ｓに対し、好ましくは２５〜６０質量％、より好ましくは３０〜５０質量％である。
【００２９】
ゴム臭気消臭用組成物の消臭効果がより高まりやすく、かつ、リモネン自身の香料臭が強くなりすぎないという観点から、前記リモネンは、前記総質量Ｓに対し、好ましくは１６〜２３質量％、より好ましくは１７〜２２質量％である。
【００３０】
ゴム臭気消臭用組成物の消臭効果がより高まりやすく、かつ、脂肪族アルコール自身の香料臭が強くなりすぎないという観点から、前記脂肪族アルコールの含有割合は、前記総質量Ｓに対し、好ましくは２〜８質量％、より好ましくは４〜７質量％である。
【００３１】
ゴム臭気消臭用組成物のさらなる具体的態様の一例として、有効成分としてパイン油、リモネン、フェニルエチルアルコール、ベンズアルデヒド、サリチル酸メチル及びゲラニオールを含む態様が挙げられる。この態様の場合（この場合のゴム臭気消臭用組成物を「ゴム臭気消臭用組成物Ａ）と表記する）は、各々の成分を以下の含有割合とすることができる。
【００３２】
ゴム臭気消臭用組成物Ａにおいてパイン油の含有割合の下限は、パイン油、リモネン、フェニルエチルアルコール、ベンズアルデヒド、サリチル酸メチル及びゲラニオールの総質量（以下、この総質量を「総質量Ｓ１」と表記する）に対し、２０質量％とすることができ、好ましくは２５質量％、より好ましくは３０質量％であり、また、パイン油の含有割合の上限は、前記総質量Ｓ１に対し、７０質量％とすることができ、好ましくは６０質量％、より好ましくは５０質量％である。これらの場合ゴム臭気消臭用組成物の消臭効果がより高まりやすく、かつ、パイン油自身の香料臭が強くなりすぎない。
【００３３】
ゴム臭気消臭用組成物Ａにおいて、リモネンの含有割合の下限は、前記総質量Ｓ１に対し、１５質量％とすることができ、好ましくは１６質量％、より好ましくは１７質量％であり、また、リモネンの含有割合の上限は、前記総質量Ｓ１に対し、２５質量％とすることができ、好ましくは２３質量％、より好ましくは２２質量％である。これらの場合、ゴム臭気消臭用組成物の消臭効果がより高まりやすく、かつ、リモネン自身の香料臭が強くなりすぎない。
【００３４】
ゴム臭気消臭用組成物Ａにおいて、フェニルエチルアルコールの含有割合の下限は、前記総質量Ｓ１に対し、３質量％とすることができ、好ましくは５質量％、より好ましくは８質量％であり、また、フェニルエチルアルコールの含有割合の上限は、前記総質量Ｓ１に対し、２５質量％とすることができ、好ましくは２０質量％、より好ましくは１５質量％である。これらの場合、ゴム臭気消臭用組成物の消臭効果がより高まりやすく、かつ、フェニルエチルアルコール自身の香料臭が強くなりすぎない。
【００３５】
ゴム臭気消臭用組成物Ａにおいて、ベンズアルデヒドの含有割合の下限は、前記総質量Ｓ１に対し、２質量％とすることができ、好ましくは５質量％、より好ましくは８質量％であり、また、ベンズアルデヒドの含有割合の上限は、前記総質量Ｓ１に対し、２０質量％とすることができ、好ましくは１６質量％、より好ましくは１３質量％である。これらの場合、ゴム臭気消臭用組成物の消臭効果がより高まりやすく、かつ、ベンズアルデヒド自身の香料臭が強くなりすぎない。
【００３６】
ゴム臭気消臭用組成物Ａにおいて、サリチル酸メチルの含有割合の下限は、前記総質量Ｓ１に対し、２質量％とすることができ、好ましくは３質量％、より好ましくは５質量％であり、また、サリチル酸メチルの含有割合の上限は、前記総質量Ｓ１に対し、２０質量％とすることができ、好ましくは１３質量％、より好ましくは１０質量％である。これらの場合、ゴム臭気消臭用組成物の消臭効果がより高まりやすく、かつ、サリチル酸メチル自身の香料臭が強くなりすぎない。
【００３７】
ゴム臭気消臭用組成物Ａにおいて、ゲラニオールの含有割合の下限は、前記総質量Ｓ１に対し、１質量％とすることができ、好ましくは２質量％、より好ましくは４質量％であり、また、ゲラニオールの含有割合の上限は、前記総質量Ｓ１に対し、１０質量％とすることができ、好ましくは８質量％、より好ましくは７質量％である。これらの場合、ゴム臭気消臭用組成物の消臭効果がより高まりやすく、かつ、ゲラニオール自身の香料臭が強くなりすぎない。
【００３８】
なお、念のための注記に過ぎないが、本発明のゴム臭気消臭用組成物（ゴム臭気消臭用組成物Ａを包含する）における各成分の含有割合の好ましい上限及び下限はどのように組み合わせてもよい。
【００３９】
ゴム臭気消臭用組成物は、有効成分の他、各種添加剤を含むことができ、一例として界面活性剤を挙げることができる。ゴム臭気消臭用組成物が界面活性剤を含むことで、有効成分を水等の水性媒体に可溶化することができる。これにより、例えば、ゴム臭気消臭用組成物は、水溶性消臭剤として、ゴム製品の加工工場等から外部排出される臭気に対し噴霧したり、対象物であるゴム材料に噴霧等したりすることで、容易、かつ、効率よくゴム臭気を消臭することが可能となる。
【００４０】
界面活性剤の種類は特に限定されず、例えば、公知の界面活性剤をゴム臭気消臭用組成物に広く適用することができる。界面活性剤としては、例えば、ノニオン性界面活性剤、アニオン性界面活性剤が挙げられる。
【００４１】
ノニオン性界面活性剤としては、例えば、ポリオキシアルキレンジスチレン化フェニルエーテル、ポリオキシアルキレンラウリルエーテル、ポリオキシアルキレンデシルエーテル、ポリオキシエチレン脂肪酸エステル、ポリオキシアルキレンイソデシルエーテル等が挙げられる。中でも少量で有効成分を水性媒体に可溶化できる点で、ノニオン性界面活性剤は、ポリオキシアルキレンラウリルエーテルであることが好ましく、ポリオキシエチレンラウリルエーテルであることがさらに好ましい。なお、ノニオン性界面活性剤において、アルキレンとは、例えば、炭素数が１〜１０のアルキレンを意味することができ、好ましくは炭素数が１〜５、さらに好ましくは炭素数が１〜３、特に好ましくは炭素数が２である。
【００４２】
ノニオン性界面活性剤のＨＬＢは１０以上であることが好ましく、この場合、有効成分を水性媒体に可溶化しやすくなる。
【００４３】
ノニオン性界面活性剤の含有割合は、前記総質量Ｓを１００質量部とした場合、１０〜１０００質量部とすることができ、２０〜８００質量部であることが好ましく、３０〜６００質量部であることがより好ましく、４０〜４００質量部であることがさらに好ましく、５０〜２００質量部であることが特に好ましい。これらの場合、有効成分は水性媒体に可溶化しやすく、長期にわたり可溶化が安定し、また、泡立ちも起こりにくい。
【００４４】
アニオン性界面活性剤としては、例えば、高級アルコール硫酸エステル塩、直鎖アルキルベンゼンスルホン酸塩、アルファオレフィンスルホン酸塩、ポリオキシエチレンアルキルエーテル硫酸塩、ポリオキシエチレンアルキルスルホコハク酸塩、ジアルキススルホコハク酸エステル塩等が挙げられる。中でも少量で有効成分を水性媒体に可溶化でき、組成物の高温安定性も改善されやすい点で、アニオン性界面活性剤は、高級アルコール硫酸エステル塩であることが好ましい。
【００４５】
アニオン性界面活性剤の含有割合は、前記総質量Ｓを１００質量部とした場合、１０〜１０００質量部とすることができ、２０〜８００質量部であることが好ましく、３０〜６００質量部であることがより好ましく、４０〜４００質量部であることがさらに好ましく、５０〜２００質量部であることが特に好ましい。これらの場合、有効成分は水性媒体に可溶化しやすく、長期にわたり可溶化が安定し、また、泡立ちも起こりにくい。
【００４６】
ゴム臭気消臭用組成物が界面活性剤を含む場合、ゴム臭気消臭用組成物はさらに水性媒体を含む。水性媒体は、例えば、水、炭素数１〜４の低級アルコール又はこれらの混合物等を挙げることができる。中でも水性媒体は、水が好ましい。水は、蒸留水、水道水、工業用水、イオン交換水、脱イオン水、純水、電解水等の各種の水を用いることができる。
【００４７】
ゴム臭気消臭用組成物は、前記有効成分に加えてさらにノニオン性界面活性剤及び／又はアニオン性界面活性剤と、水とを含むことが好ましい。この場合、ゴム臭気消臭用組成物は、有効成分が水に可溶化した水溶性消臭剤として得られるので、ゴム臭気に対し噴霧したり、対象物であるゴム材料に噴霧等したりすることで、容易、かつ、効率よくゴム臭気を消臭することが可能となる。特に、ゴム臭気消臭用組成物は、前記有効成分と、ノニオン性界面活性剤と、アニオン性界面活性剤と、水とを含むことが好ましい。
【００４８】
ゴム臭気消臭用組成物が有効成分の他、界面活性剤及び水性媒体を含む場合、有効成分の含有割合は特に限定されない。例えば、ゴム臭気消臭用組成物に含まれる有効成分、界面活性剤、水性媒体の総質量に対し、有効成分（例えば、パイン油、リモネン、芳香族化合物及び脂肪族アルコール）の含有割合は、好ましくは０．００１〜１０質量％、より好ましくは０．０１〜５質量％、さらに好ましくは０．１〜３質量％とすることができる。また、ゴム臭気消臭用組成物に含まれる有効成分に対し、界面活性剤の含有割合は、好ましくは１〜３００質量％、より好ましくは２０〜２００質量％、さらに好ましくは５０〜１５０質量％、特に好ましくは８０〜１２０質量％とすることができる。
【００４９】
ゴム臭気消臭用組成物が水性媒体を含む場合、水性媒体の含有割合は特に限定されない。例えば、ゴム臭気消臭用組成物に含まれる有効成分、界面活性剤、水性媒体の総質量に対し、水性媒体の含有割合は８０質量％以上、好ましくは８５質量％以上、より好ましくは９０質量％以上、さらに好ましくは９３質量％以上、特に好ましくは９５質量％以上である。
【００５０】
ゴム臭気消臭用組成物は、本発明の効果が阻害されない程度である限り、各種添加剤を含むことができる。添加剤としては、例えば、殺菌剤、消泡剤、凍結防止剤等が挙げられる。ゴム臭気消臭用組成物が添加剤を含む場合、添加剤の含有割合は特に限定されない。例えば、添加剤の含有割合は、ゴム臭気消臭用組成物に含まれる有効成分、界面活性剤、水性媒体の総質量に対し、５質量％以下、好ましくは１質量％以下、より好ましくは、０．１質量％以下、特に好ましくは０．０５質量％以下とすることができる。
【００５１】
なお、念のための注記に過ぎないが、本発明のゴム臭気消臭用組成物（ゴム臭気消臭用組成物Ａを包含する）における各成分の含有割合の好ましい上限及び下限はどのように組み合わせてもよい。
【００５２】
ゴム臭気消臭用組成物を調製する方法は特に限定されない。例えば各有効成分と、必要に応じて使用される界面活性剤及び水性媒体とをそれぞれ所定の割合で混合することで、ゴム臭気消臭用組成物を調製することができる。
【００５３】
ゴム臭気消臭用組成物を用いてゴム臭気を消臭する方法は特に限定されない。例えば、ゴム製品の加工工場等から外部排出される臭気もしくは対象物であるゴム材料に噴霧する方法、ゴム材料に塗布する方法を挙げることができ、容易にゴム臭気を消臭できるという点で噴霧する方法が好ましい。特に、ゴム臭気消臭用組成物中の有効成分が界面活性剤により可溶化されている場合は、噴霧する方法が好ましい。ゴム臭気消臭用組成物を噴霧する場合は、適宜の方法で噴霧することができ、例えば、二流体ノズル等の公知の噴霧手段を使用することができる。
【００５４】
ゴム臭気を消臭するにあたり、ゴム臭気消臭用組成物の使用量も特に限定されず、ゴム臭気消臭用組成物中の有効成分濃度、ゴム臭気の種類、強度等に応じて適宜選択することができる。例えば、ゴム臭気１立方メートル／分に対し、１〜１００ｃｃ／分の噴霧速度で噴霧することができる。なお、ゴム臭気消臭用組成物を用いてゴム臭気を消臭するにあたり、必要に応じて水等の水性媒体でさらに希釈して用いることもできる。
【００５５】
本発明のゴム臭気消臭用組成物は、少なくともパイン油及びリモネンを有効成分として含むことから、ゴム臭気を効率よく消臭することができる。限定的な解釈を望むものではないが、本発明のゴム臭気消臭用組成物では、ゴム臭気を必ずしもマスキングするわけではなく、むしろ、ゴム臭気消臭用組成物中の有効成分がゴム臭気を中和あるいは相殺することで臭気濃度を低減させており、これにより、ゴム臭気に対する消臭効果が発揮されるものと推察される。
【００５６】
本発明のゴム臭気消臭用組成物は、ゴム臭気用消臭剤として好適に使用することができ、ゴム材料を使用した製造現場やタイヤの製造工場等で発生するゴム臭を低減するための使用に適している。
【００５７】
本発明のゴム臭気消臭用組成物が適用できるゴムの種類は特に限定されず、例えば、公知のゴム材料に広く適用することができる。中でも、タイヤ等の製造に使用されるゴムに好適に使用することができ、タイヤを製造するために使用される天然ゴム等に対して効果的に消臭することができる。
【実施例】
【００５８】
以下、実施例により本発明をより具体的に説明するが、本発明はこれら実施例の態様に限定されるものではない。
【００５９】
＜有効成分＞
ゴム臭気を消臭するための有効成分として、下記の各種化合物を準備した。
・パイン油（日本テルペン化学社製「パインオイルＮＴ−２０」）
・Ｄ−リモネン（塩野香料社製「Ｄ−ＬＩＭＯＮＥＮＥ」）
・ベンズアルデヒド（塩野香料社製「ベンズアルデヒド」）
・サリチル酸メチル（塩野香料社製「メチルサリシレート」）
・ゲラニオール（塩野香料社製「ゲラニオール」）
・フェニルエチルアルコール（塩野香料社製「フェニルエチルアルコール」）
【００６０】
＜界面活性剤＞
・ノニオン性界面活性剤：ポリオキシエチレンアルキルエーテル（第一工業製薬製「ノイゲンＥＴ１３５」）
・アニオン性界面活性剤：アルキル硫酸アステルトリエタノールアミン塩（第一工業製薬製「モノゲンＴ４２３Ｓ」）
【００６１】
（調製例１）
後掲の表１に示す配合割合で有効成分を調製した。具体的に、パイン油６８質量％、Ｄ−リモネン２４質量％、ベンズアルデヒド２質量％、サリチル酸メチル２質量％、ゲラニオール１質量％及びフェニルエチルアルコール３質量％で構成される有効成分１を調製した。
【００６２】
（調製例２〜６）
パイン油、Ｄ−リモネン、ベンズアルデヒド、サリチル酸メチル、ゲラニオール及びフェニルエチルアルコールの配合割合を後掲の表１に示す配合割合に変更したこと以外は調製例１と同様の方法で有効成分をそれぞれ調製した。調製例２〜６で得られた有効成分をそれぞれ有効成分２、有効成分３、有効成分４、有効成分１１、及び、有効成分１２とした。
【００６３】
【表１】
0006733066.tif 000002
【００６４】
（実施例１）
後掲の表２に示すように、前記有効成分１が１質量％、前記ノニオン界面活性剤が１質量％、前記アニオン界面活性剤が１質量％、水が９７質量％となるように、各原料を配合することで、試験サンプル１を得た。具体的には、所定量の前記有効成分１と前記ノニオン界面活性剤と、前記アニオン界面活性剤とを混合し、ラボディスパーで攪拌しながら水を少量ずつ添加することで、試験サンプル１を得た。
【００６５】
（実施例２）
前記有効成分１を前記有効成分２に変更したこと以外は実施例１と同様の方法で、試験サンプル２を得た。
【００６６】
（実施例３）
前記有効成分１を前記有効成分３に変更したこと以外は実施例１と同様の方法で、試験サンプル３を得た。
【００６７】
（実施例４）
前記有効成分１を前記有効成分４に変更したこと以外は実施例１と同様の方法で、試験サンプル４を得た。
【００６８】
（実施例５）
後掲の表２に示すように、前記有効成分３が１質量％、前記ノニオン界面活性剤が０．２質量％、前記アニオン界面活性剤が０．２質量％、水が９９．６質量％となるようにしたこと以外は実施例３と同様の方法で、試験サンプル５を得た。
【００６９】
（実施例６）
前記有効成分１を前記有効成分１２に変更したこと以外は実施例１と同様の方法で、試験サンプル１２を得た。
【００７０】
（比較例１）
前記有効成分１を前記有効成分１１に変更したこと以外は実施例１と同様の方法で、試験サンプル１１を得た。
【００７１】
（比較例２）
所定量の前記ノニオン界面活性剤と、前記アニオン界面活性剤とを混合し、ラボディスパーで攪拌しながら水を少量ずつ添加することで、表２に示す配合割合の試験サンプル２１を得た。
【００７２】
（評価方法）
各実施例で得られた試験サンプルの外観評価、ラボ消臭試験及びタイヤ工場での消臭試験を以下の手順で実施した。
【００７３】
＜外観評価＞
試験サンプルを２５℃及び５０℃の恒温槽にそれぞれ保存し、２４時間後の外観を目視観察した。
【００７４】
＜ラボ消臭試験＞
自動車タイヤなどで使用されている一般用天然ゴムを５ｍｍ片の立方体にカットし、そのうちの２０ｇを１５０℃のホットプレートで加熱した。この加熱により発生する臭気をテドラバッグに捕集し、捕集したゴム臭気をＧＣ−ＭＳで組成分析した。なお、この組成分析では、ケトン類（メチルビニルケトン、メチルエチルケトン）、アルデヒド類（イソブチルアルデヒド、バレルアルデヒド、ブテナール）等が検出された。前述のテドラバッグに捕集したゴム臭気を１Ｌのテドラバックに小分けし、そこへ水で３０倍希釈した試験サンプルを１００μＬ注入した。この注入から１０分後、１Ｌのテドラバック内の臭気強度及び快不快度を、６名のパネラーによる官能評価により、下記評価基準により臭気判定した。
≪臭気強度≫
０：無臭
１：やっと感知できるにおい（検知閾値）
２：何のにおいであるかわかる弱いにおい（検知閾値）
３：楽に感知できる臭い
４：強いにおい
５：強烈なにおい
≪快不快度≫
＋４：極端に快
＋３：非常に快
＋２：快
＋１：やや快
０：快でも不快でもない
−１：やや不快
−２：不快
−３：非常に不快
−４：極端に不快
【００７５】
＜タイヤ工場での消臭試験＞
ゴム加工工場にて発生する天然ゴム由来のゴム臭気を、排気ダクトを使って工場外に排気放出する際に、試験サンプルをダクト内へ噴霧し、噴霧前のダクト内の臭気（原臭）及び噴霧後の臭気（処理臭）を採取し、両者の臭気濃度を測定することで、消臭効果を確認した。ここでいう臭気濃度は、臭気を無臭空気で希釈し、臭気を感じなくなる希釈倍数を示すもので、平成７年９月１３日環境庁告示第６３号「臭気指数の算定方法」に準拠して測定した値とした。試験で使用した試験サンプルは、実施例２で得られた試験サンプル２を水で３０倍に希釈して調製した。また、排気臭気１ｍ３／分に対し、前記希釈した試験サンプルを二流体ノズルにより、１ｃｃ／分の割合でダクト内に噴霧した。
【００７６】
【表２】
0006733066.tif 000003
【００７７】
表２には、各実施例及び比較例で得られた試験サンプルの配合割合と共に、外観評価の結果を示している。ノニオン性界面活性剤とアニオン性界面活性剤が一定量含まれる場合は、有効成分の水への可溶化が起こりやすく、濁りが発生しにくいことがわかった。
【００７８】
【表３】
0006733066.tif 000004
【００７９】
表３には、各実施例及び比較例で得られた試験サンプルのラボ消臭試験の結果を示している。表３から、実施例で得られた試験サンプルは、臭気強度が比較例に比べて低減し、また快不快度も改善できていることがわかり、優れた消臭効果が認められた。特に、実施例１〜４及び６で得られた試験サンプルは濁りも起こっていないので、例えば、ノズル等により噴霧して使用したとしても、詰まりが起こりにくいといえる。
【００８０】
【表４】
0006733066.tif 000005
【００８１】
表４には、実施例２で得られた試験サンプルのタイヤ工場での消臭試験の結果を示している。表４から、実施例２で得られた試験サンプルを噴霧するとゴム臭気の臭気濃度が低下しているとがわかり、実機でも消臭効果が認められた。
【要約】
【課題】ゴム臭気に対して優れた消臭効果を有するゴム臭気消臭用組成物及びゴム臭気の消臭方法を提供する。
【解決手段】本発明に係るゴム臭気消臭用組成物は、パイン油及びリモネンを少なくとも含む。本発明に係るゴム臭気消臭用組成物は、好ましくは、芳香族化合物及び脂肪族アルコールをさらに含む。本発明に係るゴム臭気消臭用組成物によれば、ゴム臭気に対して優れた消臭効果を有する。
【選択図】なし